(57)【要約】【課題】  パーマネントプログラムの設定や付加的な装置の設置を必要としないハーフトーンスクリーンの非線形較正方法を提供する。【解決手段】  ハーフトーンスクリーンの非線形較正方法は、元のハーフトーンスクリーンテーブルを生成する段階１０と、複数のパラメータを設定して、当該複数のパラメータをガンマ関数に適用する段階２０と、前記ガンマ関数を用いて、前記元のハーフトーンスクリーンテーブルの濃度レベルを再計算して、新たなハーフトーンスクリーンテーブルを生成する段階３０と、新たなハーフトーンスクリーンテーブルによって印刷を実行し、印刷物の光学的濃度を計測する段階４０と、を有する。【選択図】            図１３
2005111946.tif 000002
【特許請求の範囲】
【請求項１】
ハーフトーンスクリーンの非線形較正方法であって、
（ａ）元のハーフトーンスクリーンテーブルを生成する段階と、
（ｂ）複数のパラメータを設定して、当該複数のパラメータをガンマ関数に適用する段階と、
（ｃ）前記ガンマ関数を用いて、前記元のハーフトーンスクリーンテーブルの濃度レベルを再計算して、新たなハーフトーンスクリーンテーブルを生成する段階と、
（ｄ）新たなハーフトーンスクリーンテーブルによって印刷を実行し、印刷物の光学的濃度を計測する段階と、を有することを特徴とするハーフトーンスクリーンの非線形較正方法。
【請求項２】
前記パラメータは、印刷装置用のパラメータであることを特徴とする請求項１に記載の非線形較正方法。
【請求項３】
前記パラメータは、モノクロ形式の印刷装置のハーフトーンスクリーンテーブルを調整するためのものであることを特徴とする請求項１に記載の非線形較正方法。
【請求項４】
前記元のハーフトーンスクリーンテーブルは、クラスタ−ドット−オーダ（ＡＭ）ハーフトーンスクリーンテーブルであることを特徴とする請求項１に記載の非線形較正方法。
【発明の詳細な説明】
【技術分野】
【０００１】
本発明は、画像形成装置のハーフトーンスクリーン較正方法に関し、より具体的には、本発明は、ハーフトーンスクリーンの生成過程で使用されるものである。
【背景技術】
【０００２】
一般に、プリンタは、ＲＧＢ色空間からＣＭＹＫ色空間へ色変換を実行する必要がある。典型的には、３バイトのＲＧＢ電子データは、４バイトのＣＭＹＫデータへ変換される。ここで、Ｒ，Ｇ，Ｂ，Ｃ，Ｍ，Ｙ，およびＫは、それぞれ０〜２５５の間の値を持つ１バイトのデータで表現される。色レンダリング過程（color rendering process：色表現過程）において、原画像のＣＭＹＫ値と、ハーフトーンスクリーンテーブルに含まれる対応値とが比較される。この結果、各ドットを打つべきか否か（プリントすべきか否か）が決定され、各ドットの打点具合によって濃度レベル（グレーレベル）が表現される。
【０００３】
図１は、従来のハーフトーンスクリーンテーブルを例示するための概略図である。０から２５５のいずれかの濃度レベルをそれぞれが示すように、２５６個のグリッドを持つ１６×１６のマトリックスが形成される。なお、図では、２２４〜２５５の値のみを示しているが、他のグリッドの値も、同様に示すことが可能である。ハーフトーンスクリーンテーブルの各グリッドにおける濃度レベルは、対応するドットを打つべきか否かを決定するために、生データと比較されるべき参照値を表している。
【０００４】
ドットをプリントする方法は、ＰＣＬやＰＳ３などのコマンドプログラムの設定に依存する。たとえば、生データの値がハーフトーンスクリーンテーブルの値よりも大きい場合（あるいは小さい場合）、ドットが打たれる。
【０００５】
図２は、ハーフトーンスクリーンテーブルの値が生データの値よりも大きいときに、ドットが打たれる場合を示している。ここで、濃度レベル２４７を保つ矩形領域を印刷することを希望していると仮定する。この場合、図１に示されるスクリーンテーブルを２４７と比較することによって、図２のようにプリントされた各ドットを得ることができる。
【０００６】
モノクロ印刷のみならず、カラー印刷システムの場合であっても、同様の概念を用いて、ＣＭＹＫのそれぞれのハーフトーンスクリーンテーブルを各々調整することができる。
【０００７】
一般に、印刷装置は、それぞれが異なる特性を有している。この異なる特性としては、たとえば、各印刷装置ごとに異なるドットゲインやトナー特性が含まれる。ここで、ドットゲインとは、再現を重ねるうちに、ハーフスクリーンドットサイズが変化してしまう現象を意味する。ドットゲインによって、白い部分が埋まってしまうと、画像が暗くなることがあり、暗い部分が完全にドットゲインによって埋まってしまうおそれがある。この場合、本来のグレーではなく黒になってしまうこともある。
【０００８】
したがって、ある装置用に作られたハーフトーンスクリーンであっても、それらのドットゲインやトナー特性などのように印刷装置ごとに異なる特性によって異なる振る舞いをする。このため、このような各装置ごとの特性の違いを補償するためには、結果としてスクリーン較正が必要となり、最適の画像／データを出力するためにプリンタエンジンの機種に応じてスクリーン較正が実行される。
【０００９】
特許文献１は、画像の色強度に関係した問題を解決するために用いられる出力装置の非線形較正方法を開示している（特許文献１参照）。この較正方法では、画像の８ビット濃度レベルデータは、データ較正に用いられる補償情報が追加された１６ビット濃度レベルデータに変換される。しかしながら、この較正方法では、通常、パーマネントプログラムの設置が要求され、あるいは他の場合では、付加的な装置の設置が要求される。したがって、負担が大きく、実際上も不便なものであった。
【特許文献１】米国特許５９５３４９８号
【発明の開示】
【発明が解決しようとする課題】
【００１０】
本発明は、不可避的に生じるプリンタエンジンの特性を調整するために、異なるタイプの印刷装置においても使用可能であり、パーマネントプログラムの設定や付加的な装置の設置を必要としないハーフトーンスクリーンの非線形較正方法を提供することを目的としている。
【課題を解決するための手段】
【００１１】
（１）本発明のハーフトーンスクリーンの非線形較正方法は、ハーフトーンスクリーンの非線形較正方法であって、元のハーフトーンスクリーンテーブルを生成する段階と、複数のパラメータを設定して、当該複数のパラメータをガンマ関数に適用する段階と、前記ガンマ関数を用いて、前記元のハーフトーンスクリーンテーブルの濃度レベルを再計算して、新たなハーフトーンスクリーンテーブルを生成する段階と、新たなハーフトーンスクリーンテーブルによって印刷を実行し、印刷物の光学的濃度を計測する段階と、を有することを特徴とする。
【００１２】
（２）上記パラメータは、印刷装置用のパラメータである。
【００１３】
（３）上記パラメータは、モノクロ形式の印刷装置のハーフトーンスクリーンテーブルを調整するためのものである。
【００１４】
（４）上記元のハーフトーンスクリーンテーブルは、クラスタ−ドット−オーダ（ＡＭ）ハーフトーンスクリーンテーブルである。
【発明の効果】
【００１５】
本発明のハーフトーンスクリーンテーブルの非線形較正方法によれば、複数のパラメータを設定して、当該複数のパラメータをガンマ関数に適用し、当該ガンマ関数を用いて、元のハーフトーンスクリーンテーブルの濃度レベルを再計算して、新たなハーフトーンスクリーンテーブルを生成する。そして、新たなハーフトーンスクリーンテーブルによって印刷を実行し、その印刷物の光学的濃度を計測する。したがって、パーマネントプログラムの設定や付加的な装置の設置がない場合でも、効果的な較正を実現できる。特に、ただ一つの非線形ガンマ関数が要求されて、印刷装置の特性に応じて必要な調整が実行される。したがって、印刷工程の他段階における濃度レベルの付加的な調整は要求されない。特に、本発明は、印刷装置がそれほど複雑でないときに効果的であり、設計者がソフトウエアドライバに調整処理を加える必要がなくなる。
【００１６】
特に、本発明の方法によれば、印刷装置の較正を効果的に単純化することができ、非線形較正を達成するために付加的な装置を要求しない。この点は、経済的な解決方法を提供する上で有利である。
【発明を実施するための最良の形態】
【００１７】
色レンダリング過程の際に、最高水準の色品質を確実にするためには、いくつかの処理過程で較正を実行しうる。そして、較正を実行することが可能で効果的な実装箇所の一つとして、そのハーフトーンスクリーンテーブル自体が存在する。ハーフトーンスクリーンテーブル自体に較正を実装するためには、ドットゲインやトナー特性などのような出力装置の特性から生じる要因を調整するのに十分な程度にハーフトーンスクリーンテーブルをインテリジェントなものとする必要がある。このためには、正規化階調曲線（ノーマライズド  グラデーション  カーブ）を用いてスクリーンテーブルを生成する必要があり、以下に説明する本発明の方法が導入される。また、いくつかの色バランス調整機能も考慮される。
【００１８】
本発明の実施形態の非線形較正方法は、クラスタ−ドット−オーダ（ＡＭ）のハーフトーンスクリーンテーブル上に実装される。ここで、クラスタとは、ドット間の連結成分であり、ＡＭハーフトーンスクリーンテーブルは、ドット集中型の画像形成装置の場合に用いられるハーフトーンスクリーンテーブルである。一方、図３に示されるものは、ドット拡散型のＦＭハーフトーンスクリーングロースオーダを説明するための概略図である。
【００１９】
なお、本実施の形態においても、まず、元になるハーフトーンスクリーンテーブル（以下、「原ハーフトーンスクリーンテーブル」という）が作成される。この原ハーフトーンスクリーンテーブルの作成を実行する方法は、たとえば、従来からホラデイアルゴリズム（Holladay algorithm）として示されているものと同様である。したがって、この点については、詳しい説明は省略する。なお、この方法は、紙質の問題には影響されない。
【００２０】
２５６の濃度レベルのハーフトーンスクリーンテーブルがデータ表現のために使われる際に、入力画像の生データは、ハーフトーンスクリーンテーブルの値と比較されて、対応するドットがプリントされるべきか否かが決定される。
【００２１】
異なる印刷装置のために、本発明は、濃度レベルを調整するための異なる関数パラメータをもつ所定の非線形ガンマ関数を用いる。この非線形ガンマ関数に含まれる異なる関数パラメータ値が、印刷装置の特性に応じて調整される。したがって、一旦、調整された非線形ガンマ関数を用いて計算されたハーフトーンスクリーンテーブルが、特定の印刷装置のための画像／写真の印刷に適用されれば、確実なスクリーン品質を得ることができる。
【００２２】
本発明では、ただ一つの非線形ガンマ関数が要求されて、印刷装置の特性に応じて必要な調整が実行される。したがって、印刷工程の他段階における濃度レベルの付加的な調整は要求されない。特に、本発明は、印刷装置がそれほど複雑でないときに効果的であり、設計者がソフトウエアドライバに調整処理を加える必要がなくなる。
【００２３】
本発明の方法は、印刷装置の較正を効果的に単純化することができ、非線形較正を達成するために付加的な装置を要求しない。この点は、経済的な解決方法を提供する上で有利である。
【００２４】
本発明の適用範囲は、後述する説明から明らかである。しかしながら、詳細な説明および特定の実施例は、例示のために与えられたものであると理解するべきである。したがって、本発明の範囲内において、当業者によって種々の変更および改変が可能であることは明らかである。
【００２５】
図１は、従来技術としてのＡＭスクリーンスポットグロースオーダを説明するための概略図である。
【００２６】
図２は、従来技術としてのＡＭスクリーンスポットグロースオーダを説明するための他の概略図である。
【００２７】
図３は、ＦＭスクリーンスポットグロースオーダを説明するための概略図である。
【００２８】
図４は、元の濃度レベル値と新たな濃度レベル値との間の関係を示す図である。図４には、いかなる較正もされておらず、傾きが１である場合が示されている。
【００２９】
図５は、元の濃度レベル値と新たな濃度レベル値との間の関係を示す図である。図５には、線形（輝度）調整によって、すべての更新された濃度レベルが当初のレベルに比べて高められる場合が示されている。この場合、傾きは、変更されず、維持される。しかしながら、全体のヒストグラムは、図の右方向は移動する。この場合も、いくつかの高濃度レベルの部分が失われる。
【００３０】
図６は、元の濃度レベル値と新たな濃度レベル値との間の関係を示す図である。ここで、新たな濃度レベル値は、１よりも大きい所定の比率を元の濃度レベル値に乗じることによって計算される。これは、元の濃度レベルのためにコントラスト調整を行った結果である。
【００３１】
図７は、乗じられる比率が１よりも小さいことを除いて、図６の場合と同様である。濃度レベルの変化を平坦化した結果である。
【００３２】
図８は、非線形較正の概念を構成するために利用されるＹ＝ｅＸの関数を示す図である。
【００３３】
図９は、非線形較正のために使われる他の関数であるＹ＝ｌｏｇ１０Ｘを示す図である。
【００３４】
図１０は、非線形較正のために使われる第３の関数であるＹ＝ｌｎＸを示す図である。
【００３５】
図１１は、非線形較正のために使われる第４の関数であるＹ＝ｅ−Ｘを示す図である。
【００３６】
図１２は、非線形較正のために使われる具体例としての関数であるＹ＝Ｘ１．１を示す図である。
【００３７】
図１３は、本発明の実施の形態におけるハーフトーンスクリーンテーブルの非線形較正方法を説明するためのフローチャートである。
【００３８】
図１４は、較正前の原ハーフトーンスクリーンテーブルを示す図である
図１５は、本発明の実施の形態による非線形ガンマ関数較正を実行しない場合の画像出力例を示す図である。
【００３９】
図１６は、本発明の実施の形態による第１の非線形ガンマ関数較正を適用した後のハーフトーンスクリーンテーブルを示す図である。
【００４０】
図１７は、本発明の実施の形態による第１の非線形ガンマ関数較正で較正されたハーフトーンスクリーンテーブルを適用して得られた画像出力例を示す図である。
【００４１】
図１８は、本発明の実施の形態による第２の非線形ガンマ関数較正を適用した後のハーフトーンスクリーンテーブルを示す図である。
【００４２】
図１９は、本発明の実施の形態による第２の非線形ガンマ関数較正で較正されたハーフトンスクリーンテーブルを適用して得られた画像出力例を示す図である。
【００４３】
本発明によれば、ハーフトーンスクリーン用の非線形較正方法がデータ印刷過程に実装される。本発明は、ハーフトーンスクリーンテーブルにおいて元の濃度レベルを調整するために非線形ガンマ関数を用いる。この点は、迅速で、かつ矛盾がないスクリーンデータの変更を行うのに役立つ。典型的な応用では、較正されたスクリーンテーブルを用いて、シャドウ領域（陰影領域）の濃度レベルを調整する。この場合、いくつかのプリンタの特性によって、本来的にはシャドウ領域において異なる濃度レベルを持っているにもかかわらず、まったく同じように、すなわち暗い状態に見えるようになっている。
【００４４】
以下に、より具体的に、本発明の実施の形態を説明する。
【００４５】
図１４に示されるとおり、クラスタ−ドット−オーダーアプローチを用いて、原ハーフトーンスクリーンが形成される。このスクリーン形成を取り扱う方法は、たとえば、ホラデイアルゴリズム（Holladay algorithm）として示されるものである。この点は、従来と同様である。そして、この方法は、紙質の問題によって制限されない。図１４において、元の濃度レベルの値（０〜２５５）は、新たな濃度レベルの値へと線形的にマッピングされる。この場合では、新たな濃度レベルの値は、元の濃度レベルの値を同様となる。
【００４６】
すでに知られているように、較正による補償は、印刷装置のドットゲインの効果を軽減するために主として用いられている。ドットゲインの影響をなくすべく、エンジンでの現像バイアスやドラム帯電電圧の調整などのような印刷装置自体における調整が試行されるが、ハーフトーンスクリーンテーブル調整のように、ソフトウエア上での調整を行うことがもできる。ここで、ハーフトーンスクリーン調整の結果に影響を与える、いくつかの要因が存在する。たとえば、これらの要因として、色バランス要素（コントラスト、輝度、彩度、および色の濃度）、トナー特性、およびドットゲインが存在する。これらの要因が所定のガンマ関数を用いて統一的に扱われる。この場合、ハーフトーンスクリーンを一度だけ調整する必要があるのみである。これは、印刷工程の全体にわたって、唯一の較正がハーフトーンスクリーンにおいて要求され、他の較正はまったく要求されないことを意味する。したがって、印刷工程における色較正のために要求される処理過程は、好ましいことに簡略化することができる。
【００４７】
本発明は、いくつかの数式を用いて記述することができ、それらをガンマ関数とよばれる一つの形式にまとめることができる。ガンマ関数は、スクリーンの階調を正規化するために用いられる。ガンマ関数を用いることによって、シャドウおよびハイライト領域において階調の差を視認可能となる範囲が増加し、中間の色調領域においてさえも、好ましい結果をもたらすことができる。
【００４８】
調整を行うごとに、選択された対象ファイルは、すばやく印刷される。そして、光学的濃度計、または他の光学測定装置を用いることによって、印刷された色品質が知覚される。また、測定された光学的濃度または視覚的な観察結果によって、色彩技術者は、次の調整を実行するか否かを決定し、調整処理を続けることができる。
【００４９】
色彩技術者は、次の調整処理に入る前に、所定のガンマ関数におけるパラメータとして異なる値を適用することができる。ガンマ関数は、元の濃度レベルを調整するために使用される。以下のガンマ関数において、「ｘ」は元の濃度レベルを示し、「Ｆ（ｘ）」は較正された新たな濃度レベルを示す。本発明によれば、ガンマ関数の表現は、次のように記述される。すなわち、本明細書において、ガンマ関数とは、以下の形式で表現される関数であると定義される。
【００５０】
Ｆ（ｘ）＝ｍｉｎ{ｍａｘ〔（ｘ＋（ｘｐ＿ｖａｌ／ｄｉｖ＿ｖａｌ）−ｓｈｉｆｔ）＊ｅｘｐ（ｅ＿ｖａｌ）＊ｌｏｇ（ｌ＿ｖａｌ），０〕，ｕ＿ｂｏｕｎｄ}，
ここで、ｐ＿ｖａｌは、曲線の屈曲に影響する出力値であり、ｄｉｖ＿ｖａｌは、コントラストに影響する除数であり、ｓｈｉｆｔは、輝度に影響するシフト値であり、ｅ＿ｖａｌは、曲線の屈曲に影響する指数値であり、ｌ＿ｖａｌは、曲線の屈曲に影響する対数パラメータであり、ｕ＿ｂｏｕｎｄは、ドットが打たれるドット濃度レベル上限である。
【００５１】
本発明の一実施例では、以下のようになる。
【００５２】
Ｆ（ｘ）＝ｍｉｎ{ｍａｘ〔（ｘ＋ｘ１．１／１０−４２）＊ｅｘｐ（０）＊ｌｏｇ（１０），０〕，２４９}
そして、調整された濃度レベルを総て含んだセットをを得ることができる。このような総ての濃度レベルは、対象ファイルを印刷するために使用される。対象ファイルがプリントアウトされると、光学的濃度測定が再び行われる。調整された品質に応じて、非線形較正を続けるか否かが決定される。受け入れ可能な品質が達成されるまで、このような処理を繰り返すことができる。
【００５３】
図４は、元の濃度レベル値と新たな濃度レベル値との間の関係を示している。図４には、なんらの較正もされておらず、傾きが１である場合が示されている。図５に示される場合には、、最初の濃度レベル値から定数が減じられる。すなわち、各濃度レベルは、同じ量を減少させられる。これは、上記のガンマ関数において設定される「ｓｈｊｆｔ」に対応する。これは、線形調整であり、最終的な画像の輝度に影響を与える。このアプリケーション設計によって、結果の画像は、より明るく、または、より暗くなる。一方、図６および図７に示される場合では、与えられたレベル値に定数を乗じ、またはレベル値を定数で割り、これによって、元の濃度レベル値のコントラスト調整がされる。これも線形調整である。
【００５４】
図８，９，１０，１１および１２は、非線形較正機能を表している。図８は、Ｙ＝ｅｘの関数を示す図であり、非線形較正の概念を構成するために役立つ。指数関数を使用することによって、新たな濃度レベルの非線形な変化を得る。
【００５５】
図９は、非線形較正で用いるための第２の関数であるＹ＝ｌｏｇ１０Ｘを示す。図１０は、非線形較正で用いるための第３の関数であるＹ＝ｌｎＸを示す。図１１は、非線形較正で用いるための第４の関数であるＹ＝ｅ−ｘを示す。図１２は、非線形較正のために使われる具体例としての関数であるＹ＝Ｘ１．１である。
【００５６】
図１３に示されるフローチャートは、本発明の非線形較正の処理を概略的に説明するものであり、特に、印刷装置で具現されるべき処理ステップを示している。非線形較正方法は、たとえば、ハーフトーンスクリーンテーブルの各濃度レベルが較正するために印刷装置において実装され、この結果、画像出力のレンダリング特性を改良することができる。
【００５７】
まず、元のハーフトーンスクリーンテーブルが生成される（ステップ１０）。そして、較正されるべき印刷装置から（図１５に示されるような）対象画像がプリントアウトされる。これは、（図１４に示されるような）元のハーフトーンスクリーンテーブルに基づいてなされる。そして、図１５に示されるような印刷された画像において、ハイライト領域にある４番および５番のグリッドは、過度に白くなった色を持つ。また、シャドウ領域にある８６番から１００番までのグリッドは、過度に暗く／濃い色を持ち、薄い黒と濃い黒の区別を不可能としている。
【００５８】
このような場合には、プリントアウト品質から、スクリーンテーブルの更なる較正が必要であると判断される。この例では、プリントアウトされたものを見ると、輝度とコントラストが不十分である。この他にも、色密度を調整するために幾つかの非線形曲線を必要とする場合もある。上述したことを要約すると、一組の関数パラメータが設定され、非線形ガンマ関数に適用される（ステップ２０）。すなわち、このステップでは、いくつかのパラメータを設定することによって、一つの非線形ガンマ関数が生成される。
【００５９】
そして、ガンマ関数によって、元のハーフトーンスクリーンテーブルの濃度レベルを再計算して、新たなハーフトーンスクリーンテーブルを生成する（ステップ３０）。図１６は、図１４に示される元の濃度レベルを較正することによって得られた新たなハーフトーンスクリーンテーブルを示している。このような処理は、たとえば、マイクロソフト社のＥＸＣＥＬ（登録商標）において非線形ガンマ関数を以下のように適用することを経て行うことができる。
【００６０】
ＭＩＮ（ＲＯＵＮＤＤＯＷＮ（ＭＡＸ（ｘ＋ＰＯＷＥＲ（ｘ，１．１）／１０−２０，０），０），２４９）
ここで、ＭＩＮは、最小オペレータである。この場合、較正された濃度レベルは、２４９よりも高くならない。ＲＯＵＮＤＤＯＷＮは、切捨てオペレータである。濃度レベルは、整数で得る必要があるからである。ＭＡＸは、最大オペレータである。較正された濃度レベルは、０よりも低くならない。ｘは、ハーフトーンスクリーンテーブルの元の濃度レベルを現す変数である。ＰＯＷＥＲは、指数オペレータである。非線形曲線のために使用される。
【００６１】
最終的に、新たなハーフトーンスクリーンテーブルによってプリントアウトがなされ、プリントアウトされた印刷物の光学的濃度が測定される（ステップ４０）。図１７は、第１の較正処理がされたハーフトーンスクリーンテーブルから得られたプリントアウトを示している。この例では、全体の画像の色が暗くなっている。
【００６２】
したがって、ユーザは、ステップ２０に戻り、新たな関数パラメータを設定し、ハーフトーンスクリーンテーブルの濃度レベルを再び較正するために、新たな非線形ガンマ関数が適用される。画像が許容可能な品質となるまで、この処理が繰り返される。
【００６３】
図１８は、他のハーフトーンスクリーンテーブルを示している。このハーフトーンスクリーンテーブルは、以下のＥｘｃｅｌ（登録商標）で実装されるような第２の非線形ガンマ関数で較正される。
【００６４】
ＭＩＮ（ＲＯＵＮＤＤＯＷＮ（ＭＡＸ（ｘ＋ＰＯＷＥＲ（ｘ，１．１）／１０−４２，０），０），２４９）
図１９は、較正されたハーフトーンスクリーンテーブルより得られたプリントアウトを説明している。図に示されるとおり、総てのシャドウ領域およびハイライト領域で、十分に区別できる階調を維持している。図１５と図１７を比較ればわかるように、この処理は、相当な改良を実現する。
【００６５】
上述したように、本発明は、モノクロ印刷装置に制限されるものではなく、カラー印刷装置での使用にも適している。カラー印刷装置のためには、較正は、ＣＭＹＫの４色のそれぞれについて独立的に適用されねばならない。
【００６６】
以上のように本発明を説明したが、本発明は以上の説明によって限定されるものではなく、多くの方法によって種々に変更することができることは明らかである。当業者に明らかな総ての変形は、本発明の範囲に含まれるものとすべきである。
【図面の簡単な説明】
【００６７】
【図１】ＡＭスクリーンスポットグロースオーダを説明するための概略図である。
【図２】ＡＭスクリーンスポットグロースオーダを説明するための他の概略図である。
【図３】ＦＭスクリーンスポットグロースオーダを説明するための概略図である。
【図４】較正がされておらず、傾きが１である場合における、元の濃度レベル値と新たな濃度レベル値との間の関係を示す図である。
【図５】線形（輝度）調整によって、すべての更新された濃度レベルが当初のレベルに比べて高められる場合における、元の濃度レベル値と新たな濃度レベル値との間の関係を示す図である。
【図６】１よりも大きい所定の比率を元の濃度レベル値に乗じることによって新たな濃度レベル値が計算される場合における、元の濃度レベル値と新たな濃度レベル値との間の関係を示す図である。
【図７】１よりも小さい所定の比率を元の濃度レベル値に乗じることによって新たな濃度レベル値が計算される場合における、元の濃度レベル値と新たな濃度レベル値との間の関係を示す図である。
【図８】非線形較正の概念を構成するために使われる第１の関数であるＹ＝ｅＸを示す図である。
【図９】非線形較正のために使われる第２の関数であるＹ＝ｌｏｇ１０Ｘを示す図である。
【図１０】非線形較正のために使われる第３の関数であるＹ＝ｌｎＸを示す図である。
【図１１】非線形較正のために使われる第４の関数であるＹ＝ｅ−Ｘを示す図である。
【図１２】非線形較正のために使われる具体例としての関数であるＹ＝Ｘ１．１を示す図である。
【図１３】本発明の実施の形態におけるハーフトーンスクリーンテーブルの非線形較正方法を説明するためのフローチャートである。
【図１４】較正前の原ハーフトーンスクリーンテーブルを示す図である
【図１５】本発明の実施の形態による非線形ガンマ関数較正を実行しない場合の画像出力例を示す図である。
【図１６】本発明の実施の形態による第１の非線形ガンマ関数較正を適用した後のハーフトーンスクリーンテーブルを示す図である。
【図１７】本発明の実施の形態による第１の非線形ガンマ関数較正で較正されたハーフトーンスクリーンテーブルを適用して得られた画像出力例を示す図である。
【図１８】本発明の実施の形態による第２の非線形ガンマ関数較正を適用した後のハーフトーンスクリーンテーブルを示す図である。
【図１９】本発明の実施の形態による第２の非線形ガンマ関数較正で較正されたハーフトンスクリーンテーブルを適用して得られた画像出力例を示す図である。
【符号の説明】
【００６８】
１０    原ハーフトーンスクリーンテーブルの生成処理、
２０    パラメータの設定およびガンマ関数への適用処理、
３０    新たなハーフトーンスクリーンテーブルの生成処理、
４０    プリントアウトおよび光学的濃度測定処理。
【図１】
2005111946.tif 000003
【図２】
2005111946.tif 000004
【図３】
2005111946.tif 000005
【図４】
2005111946.tif 000006
【図５】
2005111946.tif 000007
【図６】
2005111946.tif 000008
【図７】
2005111946.tif 000009
【図８】
2005111946.tif 000010
【図９】
2005111946.tif 000011
【図１０】
2005111946.tif 000012
【図１１】
2005111946.tif 000013
【図１２】
2005111946.tif 000014
【図１３】
2005111946.tif 000015
【図１４】
2005111946.tif 000016
【図１５】
2005111946.tif 000017
【図１６】
2005111946.tif 000018
【図１７】
2005111946.tif 000019
【図１８】
2005111946.tif 000020
【図１９】
2005111946.tif 000021